(57)【要約】  【課題】  基板１上に固着された台座５にバレル２を螺合し、螺合量でレンズ２５、２５の焦点距離の調整が可能なカメラモジュールにおいて、バレル２と台座５の固着に要する時間を短くして作業時間を短縮し、コストダウンを図ること。  【解決手段】  バレル２と台座５の少なくとも一方に両者に跨がるとともに外来光の受光が可能な凹部３１を形成し、この凹部３１に注入された光硬化型接着剤３０でバレル２と台座５を固着する。光硬化型接着剤３０は短時間で硬化し、バレル２と台座５の螺合部に浸入しない程度の高い粘度を有する。【選択図】  図１
2006330121.tif 000002
【特許請求の範囲】
【請求項１】
撮像素子（１１）が配設された基板（１）と、レンズ（２５、２５）が支持された第１支持部材（２）と、第１支持部材（２）と螺合して第１支持部材（２）を支持するとともに、基板（１）上に固着された第２支持部材（５）とを具備し、第１支持部材（２）と第２支持部材（５）の螺合量でレンズ（２５、２５）の焦点距離の調整が可能なカメラモジュールであって、第１支持部材（２）と第２支持部材（５）の少なくとも一方に、第１支持部材（２）と第２支持部材（５）に跨がるとともに外来光の受光が可能な凹部（３１）を形成し、この凹部（３１）に注入された光硬化型接着剤（３０）によって第１支持部材（２）と第２支持部材（５）を固着したことを特徴とするカメラモジュール。
【請求項２】
凹部（３１）は第１支持部材（２）と第２支持部材（５）の螺合部まで延設され、凹部（３１）に注入された光硬化型接着剤（３０）が、第１支持部材（２）と第２支持部材（５）の螺合部に侵入しない程度の高粘度を有していることを特徴とする請求項１記載のカメラモジュール。
【請求項３】
第１支持部材（２）は、円筒体の外周面にオネジが形成されたオネジ部（２６）と、このオネジ部（２６）の上端開口部を閉塞する上板（２２）とを具備し、第２支持部材（５）は、円筒状内周面にオネジ部（２６）のオネジと螺合可能なメネジが形成されたメネジ部（５３）を具備し、凹部（３１）は、上板（２２）の周辺部に円周方向に沿って等間隔で形成された複数の凹部（３１）からなり、この凹部（３１）は第２支持部材（５）のメネジ部（５３）まで延設されていることを特徴とする請求項２記載のカメラモジュール。
【請求項４】
撮像素子（１１）が配設された基板（１）と、レンズ（２５、２５）が支持された第１支持部材（２）と、第１支持部材（２）と螺合して第１支持部材（２）を支持するとともに、基板（１）上に固着された第２支持部材（５）とを具備し、第１支持部材（２）と第２支持部材（５）の螺合量でレンズ（２５、２５）の焦点距離の調整が可能なカメラモジュールであって、第１支持部材（２）と第２支持部材（５）の少なくとも一方を光透過型材料で成形し、第１支持部材（２）と第２支持部材（５）の螺合部に注入された光硬化型接着剤で第１支持部材（２）と第２支持部材（５）を固着したことを特徴とするカメラモジュール。
【発明の詳細な説明】
【技術分野】
【０００１】
本発明は、携帯電話機や携帯端末機などに用いられるカメラモジュールに関するものである。
【背景技術】
【０００２】
従来のカメラモジュールは、例えば図９に示すように、撮像素子１０１が配設された回路基板（以下単に基板という。）１０３と、レンズ１０５、１０５が支持されたバレル１０７と、バレル１０７と螺合してバレル１０７を支持するとともに接着剤１０９、１１１で基板１０３上に固着された台座１１３とを具備し、バレル１０７と台座１１３の螺合量を調整することによってレンズ１０５、１０５と撮像素子１０１の間にの距離（即ちレンズ１０５、１０５の焦点距離）を調整していた（例えば特許文献１参照）。
調整後のバレル１０７と台座１１３の固着は、例えばバレル１０７と台座１１３の螺合部１１５に接着剤を注入して行われていた（例えば特許文献２参照）。
【特許文献１】特開２００４−２９７２８２
【特許文献２】特開２００３−１７２８５９
【発明の開示】
【発明が解決しようとする課題】
【０００３】
しかしながら、前述の従来例では、バレル１０７と台座１１３を固着するために螺合部１１５に注入する接着剤として熱硬化型接着剤が用いられていたので、硬化時間が長くなり（例えば３０分〜６０分）、作業時間が長くなってコストアップを招くという問題点があった。
【０００４】
本発明は、上述の問題に鑑みなされたもので、バレル（第１支持部材の一例）と台座（第２支持部材の一例）の固着に要する時間を短かくして作業時間を短縮し、コストダウンを図ることのできるカメラモジュールを提供することを目的とする。 
【課題を解決するための手段】
【０００５】
請求項１記載の発明は、撮像素子が配設された基板と、レンズが支持された第１支持部材と、前記第１支持部材と螺合して前記第１支持部材を支持するとともに、前記基板上に固着された第２支持部材とを具備し、前記第１支持部材と前記第２支持部材の螺合量で前記レンズの焦点距離の調整が可能なカメラモジュールであって、前記第１支持部材と前記第２支持部材の少なくとも一方に、前記第１支持部材と前記第２支持部材に跨がるとともに外来光の受光が可能な凹部を形成し、前記凹部に注入された光硬化型接着剤によって前記第１支持部材と前記第２支持部材を固着したことを特徴とする。
【０００６】
請求項２記載の発明は、請求項１記載の発明において、凹部が第１支持部材と第２支持部材の螺合部まで延設され、前記凹部に注入された光硬化型接着剤が、前記第１支持部材と前記第２支持部材の螺合部に浸入しない程度の高粘度を有していることを特徴とする。
【０００７】
請求項３記載の発明は、請求項２記載の発明において、第１支持部材が、円筒体の外周面にオネジが形成されたオネジ部と、このオネジ部の上端開口部を閉塞する上板とを具備し、第２支持部材が、円筒状内周面にオネジ部のオネジと螺合可能なメネジが形成されたメネジ部を具備し、凹部が前記上板の周辺部に円周方向に沿って等間隔で形成された複数の凹部からなり、この凹部が第１支持部材のオネジ部まで延設されていることを特徴とする。
【０００８】
請求項４記載の発明は、撮像素子が配設された基板と、レンズが支持された第１支持部材と、前記第１支持部材と螺合して前記第１支持部材を支持するとともに、前記基板上に固着された第２支持部材とを具備し、前記第１支持部材と前記第２支持部材の螺合量で前記レンズの焦点距離の調整が可能なカメラモジュールであって、前記第１支持部材と前記第２支持部材の少なくとも一方を光透過型材料で成形し、前記第１支持部材と前記第２支持部材の螺合部に注入された光硬化型接着剤で前記第１支持部材と前記第２支持部材を固着したことを特徴とする。
【発明の効果】
【０００９】
請求項１記載の発明は、基板、第１支持部材及び第２支持部材を具備したカメラモジュールにおいて、第１支持部材と第２支持部材の少なくとも一方に両者に跨がるとともに外来光の受光が可能な凹部を形成し、凹部に注入された光硬化型接着剤で第１支持部材と第２支持部材を固着したので、第１支持部材と第２支持部材の螺合量調整後の第１支持部材と第２支持部材の固着強度を大きくできるとともに、加熱をせずに短時間で固着できる。
【００１０】
請求項２記載の発明は、請求項１記載の発明において、凹部が第１支持部材と第２支持部材の螺合部まで延設され、凹部に注入された光硬化型接着剤が螺合部に浸入しない程度の高粘度を有しているので、凹部による第１支持部材と第２支持部材の固着面積を広くして固着強度を大きくできる。
【００１１】
請求項３記載の発明は、請求項２記載の発明において、第１支持部材がオネジ部と上板を具備し、第２支持部材がメネジ部を具備し、凹部が前記上板の周辺部に等間隔で形成された複数の凹部からなるので、第１支持部材と第２支持部材の固着強度を安定的に大きくできる。
【００１２】
請求項４記載の発明は、基板、第１支持部材及び第２支持部材を具備したカメラモジュールにおいて、第１支持部材と第２支持部材の少なくとも一方を光透過型材料で成形し、第１支持部材と第２支持部材の螺合部に注入された光硬化型接着剤で第１支持部材と第２支持部材を固着したので、第１支持部材と第２支持部材を固着するために、接着剤を溜めるための凹部を形成する必要がない。
【実施例】
【００１３】
図１〜図８は本発明の一実施例を示すもので、これらの図において、１は回路基板（以下単に基板という）、２は第１支持部材の一例としてのバレル、４は弾性部材の一例としての環状弾性体、５は第２支持部材の一例としての台座である。
バレル２と台座５は、レンズ２５、２５を支持するとともに、基板１上に固着される支持部材７を形成している。
【００１４】
基板１は、図７（ｂ）に示すように、合成樹脂で略正方形板状に形成されるとともに、その四隅を隅切りした形状に形成されている。
基板１の上面の中央部には、図１（a）に示すように、配線パターン（図示省略）によって電気的に接続された撮像素子１１やその他の回路素子１２〜１４等が配設され、基板１の側面及び下面には、外部接続用端子（図示省略）が配設されている。
基板１の上面の周辺部には、図７（ｂ）に示すような固着面１５が形成されている。
固着面１５は、略正方形環状であって、その四隅を傾斜角４５度の斜めにした形状に形成されている。
固着面１５の四隅と一辺の中央には、台座５の固着面５５（後述する）の対応部分より面積の広い異形部分１６〜１６、１７が形成されている。
【００１５】
バレル２は合成樹脂で成形され、図５（a）（b）に示すように、略円筒状に形成されたバレル本体２１と、このバレル本体２１の上端開口部を閉塞して外周縁をつば状に突出させた上板２２とを具備し、この上板２２には絞り孔２３が形成されている。
バレル本体２１の内側には２つのレンズ２５、２５が保持され、バレル本体２１の外側には、外周面にオネジを有するオネジ部２６が形成されている。
バレル本体２１の下端開口側には、環状弾性体４を係合保持するための係合段部２８が形成されている。
上板２２の周辺部には、図５（a）（b）に示すような、円周方向に沿って等間隔に４つの凹部３１が形成され、この凹部３１はバレル本体２１のオネジ部２６の上部まで延設されている。この凹部３１は、外部から注入される光硬化型接着剤３０を溜めるためのもので、注入される光硬化型接着剤３０は、バレル２と台座５の螺合部に浸入しない程度の高粘度を有するとともに、紫外線や可視光によって短時間（例えば１０秒前後）で硬化する性質を有している。
【００１６】
環状弾性体４は合成ゴムのような弾性材料によって外周縁が円形に成形され、一体に形成された係合部４１と当接部４２を具備している。
係合部４１は、断面が略五角形状であってバレル本体２１の係合段部２８に係合可能に形成され、当接部４２は断面が略半円形状に形成されている。
【００１７】
台座５は合成樹脂で成形され、図６（a）（b）に示すように略円筒状に形成された上側台座５１と、この上側台座５１の下側に連設された略四角筒状の下側台座５２とを具備している。
上側台座５１には、その円筒状内周面にメネジを有するメネジ部５３が形成され、このメネジ部５３のメネジはバレル本体２１のオネジ部２６のオネジと螺合可能な形状に形成されている。
上側台座５１と下側台座５２の連結部の内側には、バレル２のオネジ部２６の螺進方向の移動限界位置を規制する略円環状のストッパー部５６が突設している。
上側台座５１の一側壁の中央部には切欠き５７が形成され、この切欠き５７は上側、下側及び外側が開口している。
下側台座５２の下端面は基板１との固着面５５となり、この固着面５５は、図７（a）に示すように略正方形環状であって、その四隅が傾斜角４５度の斜めに形成されるとともに、一辺の中央を切り欠いた形状に形成されている。
台座５の固着面５５と基板１の固着面１５とは、接着剤６０によって形成された接着層６１及び接着フィレット６２、６３によって固着（接着）されている。
【００１８】
つぎにカメラモジュールの組立について説明する。
（１）撮像素子１１や回路素子１２〜１４が実装された基板１の固着面１５と、台座５の固着面５５との少なくとも一方に接着剤６０を塗布し、撮像素子１１の受光面の中心軸と上側台座５１の中心軸を一致させた状態で、接着剤６０を介して固着面１５と固着面５５を密着させ、基板１上に台座５を載置する。この接着剤６０は、熱硬化型、常温硬化型、光硬化型のいずれでもよい。
そして、接着剤６０を硬化させることにより、基板１の固着面１５のうちの、台座５の固着面５５と対面する部分において両者を固着する接着層６１を形成するとともに、この接着層６１に連続する所定部分において両者を固着する接着フィレット６２〜６２、６３を形成する。
接着フィレット６２は、図１（ｂ）に示すように、基板１の固着面１５の異形部分１６と下側台座５２の外側壁の異形部分１６に隣接する部分とを固着する。
接着フィレット６３は、図１（ａ）に拡大して図示するように、基板１の固着面１５の異形部分１７と下側台座５２の外側壁の異形部分１７に隣接する部分とを固着する。
上述のように、接着層６１と接着フィレット６２〜６２、６３によって基板１と台座５を固着しているので、基板１の縦と横が約６ｍｍで、下側台座５２の側壁の板厚（すなわち固着面５５の幅）が略０．３ｍｍのような小型化のカメラモジュールにおいても所望の固着強度が得られる。例えば、台座５の成形時に固着面５５に反りが生じて接着剤が付き難いような場合でも、接着フィレット６２〜６２，６３によって所望の固着強度が得られる。
【００１９】
（２）ついで、図５（a）（ｂ）に示すように、バレル２の係合段部２８に環状弾性体４の係合部４１を係合して環状弾性体４を保持した後、図８及び図１（a）に示すように、バレル２のオネジ部２６を台座５のメネジ部５３に螺合する。
このとき、レンズ２５、２５の中心軸が上側台座５１の中心軸に一致し、環状弾性体４がバレル２の先端部と台座５のストッパー部５６との間で押圧されて弾性変形した状態で、レンズ２５、２５の焦点距離が合うように、予めバレル２と台座５の形状が形成されるとともに、オネジ部２６とメネジ部５３のネジ数が設定されている。
このため、オネジ部２６とメネジ部５３の螺合量を調整してレンズ２５、２５の焦点を撮像素子１１に合わせたときには、環状弾性体４が弾性変形した状態でバレル２の先端部と台座５のストッパー部５６の間に介在し、その弾性力でオネジ部２６とメネジ部５３の摩擦力が補強され、バレル２と台座５の螺合による締め付け力を大きくして螺合部の隙間（遊び）によるレンズ２５、２５の焦点距離のずれを防止できる。
また、バレル２の先端部と台座５のストッパー部５６の間に環状弾性体４を介在させるだけでよいので、圧接部材と板バネを介在させる従来例のように大型化するのを避けて小型化を図ることができる。
【００２０】
（３）ついで、バレル２の凹部３１〜３１に光硬化型接着剤３０を注入し、図１（a）に示すようにバレル２と台座５を固着する。
このとき、光硬化型接着剤３０はバレル２と台座５の螺合部に侵入しない程度の高い粘度を有しているので、光硬化型接着剤３０が凹部３１からオネジ部２６とメネジ部５３のネジの隙間に浸入して未硬化となることがなく、紫外線又は可視光によって短時間（例えば１０秒後）に光硬化型接着剤３０を硬化してバレル２と台座５を固着できる。
【００２１】
前述のようにして組み立てられたカメラモジュールは、カメラモジュール用コネクタを介して又は直接に、携帯電話機や携帯端末機などの配線回路基板に実装される。
【００２２】
前記実施例では、光硬化型接着剤を溜める凹部を、第１支持部材の上部周辺部に円周方向に沿って等間隔に４つ形成した場合について説明したが、本発明は４つに限るものでなく、１つの場合、又は４つ以外の複数個を円周方向に沿って等間隔若しくは不等間隔に形成した場合ついても利用することができる。
【００２３】
前記実施例では、光硬化型接着剤を溜める凹部を、第１支持部材に形成した場合について説明したが、本発明はこれに限るものでなく、第２支持部材に形成した場合、又は第１支持部材及び第２支持部材に形成した場合についても利用することができる。
【００２４】
前記実施例では、固着面積を広くするために、光硬化型接着剤を溜めるための凹部が第１、第２支持部材の螺合部まで延設されている場合について説明したが、本発明はこれに限るものでなく、第１、第２支持部材の螺合部まで延設されていない場合についても利用することができる。  
【００２５】
前記実施例では、第１、第２支持部材が光を透過しない材料（例えば合成樹脂）で成形された場合について説明したが、本発明はこれに限るものでなく、第１、第２支持部材の少なくとも一方が光透過型材料で成形された場合についても利用することができる。
この場合、凹部なしで第１、第２支持部材の螺合部に外来光を当てることができるので、凹部の形成を省略し、螺合部に光硬化型接着剤を注入して短時間に第１支持部材と第２支持部材を固着できる。
【００２６】
前記実施例では、レンズの焦点距離のずれを防止するための弾性部材が係合部と当接部を具備した環状弾性体で形成され、その係合部が第１支持部材の係合段部に係合保持されたカメラモジュールについて説明したが、本発明はこれに限るものでなく、第１支持部材と第２支持部材の螺合によって弾性変形し、その弾性力で第１支持部材と第２支持部材の螺合による締め付け力を大きくしてレンズの焦点距離のずれを防止したカメラモジュールについても利用できる。
例えば、弾性部材が断面円形の環状弾性体（例えばＯリング）であって、その第１支持部材側の一部が螺合時に第１支持部材の先端面に形成された環状凹溝に係合されたカメラモジュールついても利用できる。
又は、第１支持部材が一体に成形されたネジ部と環状弾性体部とを具備し、ネジ部を剛性の高い材料で成形し、環状弾性体部を弾性材料で成形して弾性部材としたカメラモジュールについても利用できる。この場合、第１支持部材と第２支持部材を螺合するだけで自動的に弾性部材（環状弾性体部）が組み込まれ、組立工程を簡略化できる。
【００２７】
前記実施例では、第１支持部材と第２支持部材の間に弾性部材を介在させたカメラモジュールについて説明したが、本発明はこれに限るものでなく、第１支持部材と第２支持部材の間に弾性部材を介在させないカメラモジュール（例えば図９の従来例のカメラモジュール）についても利用できる。
【００２８】
前記実施例では、基板と第２支持部材の固着強度を大きくするために、基板と第２支持部材の固着面の異形部分に対応する形状を、共に正方形環状の四隅を傾斜角度４５度の斜めに形成したカメラモジュールについて説明したが、本発明はこれに限るものでなく、基板の固着面の四隅を円弧形状や直角形状に形成し、第２支持部材の四隅を円弧形状に形成することによって、基板の固着面の四隅に第２支持部材の固着面の対応する部分より広い異形部分を形成したカメラモジュールについても利用できる。
【００２９】
前記実施例では、基板と第２支持部材の固着面を略正方形環状に形成し、基板の固着面の四隅と一辺の中央に、第２支持部材の固着面の対応する部分より面積の広い異形部分を形成し、これらの異形部分に接着フィレットを形成したカメラモジュールについて説明したが、本発明はこれに限るものでなく、基板上の固着面の一部に、第２支持部材の固着面の対応部分より面積の広い異形部分を形成し、この異形部分に接着フィレットを形成したカメラモジュールについても利用することができる。
例えば、図７に二点鎖線で示すように、下側台座５２の各側壁に切欠き５７を形成することによって、基板１の固着面１５の四隅と各辺の中央に下側台座５２の固着面の対応する部分より面積の広い異形部分を形成し、これらの異形部分に接着フィレットを形成したカメラモジュールについても利用することができる。
又は、図７に実線で示す実施例から下側台座５２の一側壁に形成する切欠き５７を省略し、基板１の固着面１５の四隅にだけ異形部分１６〜１６を形成して接着フィレット６２〜６２を形成した場合、若しくは、台座の固着面の四隅を基板の固着面と同一形状とし、基板の固着面の各辺の中央にだけ異形部分を形成し、接着フィレットを形成したカメラモジュールついても利用することができる。
【図面の簡単な説明】
【００３０】
【図１】本発明の一実施例を示す図２の断面を示すもので、（a）はＡ−Ａ線拡大断面図、（ｂ）はＢ−Ｂ線部分拡大断面図である。
【図２】本発明の一実施例を示す平面図である。
【図３】図２の正面図である。
【図４】図２の斜視図（接着剤の図示省略）である。
【図５】図１〜図４中のバレル２（環状弾性体４を係合保持し、オネジ部２６の図示を省略した。）を示す斜視図で、（a）は斜め上方から見た図、（ｂ）は（a）の上下を反転した図である。
【図６】図１〜図４中の台座５（メネジ部５３の図示を省略した。）を示す斜視図で、（a）は斜め上方から見た図、（ｂ）は（a）の上下を反転した図である。
【図７】基板１と台座５の固着面を示す斜視図で、（a）は台座５（メネジ部５３の図示省略した。）の固着面５５を示し、（ｂ）は基板１（撮像素子１１や回路素子１２〜１４の図示を省略した。）の固着面１５を示す。
【図８】基板１に固着された台座５にバレル２を螺合する前の状態を示す断面図である。
【図９】従来例を示す断面図ある。
【符号の説明】
【００３１】
１…基板
１５…基板１の固着面
１６、１７…固着面１５中の異形部分       
２…バレル（第１支持部材の一例）
２６…オネジ部
３０…光硬化型接着剤
３１…凹部          
５… 台座（第２支持部材の一例）      
５３…メネジ部  
５５…台座５の固着面
５６…ストッパー部  
６０…接着剤
６１…接着層
６２、６３…接着フィレット
７…支持部材
【図１】
2006330121.tif 000003
【図２】
2006330121.tif 000004
【図３】
2006330121.tif 000005
【図４】
2006330121.tif 000006
【図５】
2006330121.tif 000007
【図６】
2006330121.tif 000008
【図７】
2006330121.tif 000009
【図８】
2006330121.tif 000010
【図９】
2006330121.tif 000011